(57)【要約】      （修正有）【課題】画質及び耐久性に優れる画像を効率的に皮膚に形成できるインクジェット記録装置用インクの提供。【解決手段】下記化学式（Ｉ）で表されるナフトキノン誘導体と、粘度調整剤とを含有し、前記ナフトキノン誘導体の含有割合は、８．０質量％以上６５．０質量％以下、前記粘度調整剤の含有割合は０．５質量％以上７．０質量％以下のインクジェット記録装置用インク。式中、Ｒ1〜Ｒ6は水素原子、ヒドロキシ基、又は炭素原子数１以上１０以下の１価の炭化水素基を表し、Ｒ1〜Ｒ6のうち少なくとも１つは、ヒドロキシ基を表す。2020083912.tif 000006【選択図】なし【特許請求の範囲】
【請求項１】
下記化学式（Ｉ）で表されるナフトキノン誘導体と、
粘度調整剤とを含有し、
前記ナフトキノン誘導体の含有割合は、８．０質量％以上６５．０質量％以下であり、
前記粘度調整剤の含有割合は、０．５質量％以上７．０質量％以下である、インクジェット記録装置用インク。
【化１】
2020083912.tif 000005
（前記一般式（Ｉ）中、
Ｒ1〜Ｒ6は、各々独立に、水素原子、ヒドロキシ基、又は炭素原子数１以上１０以下の１価の炭化水素基を表し、
Ｒ1〜Ｒ6のうち少なくとも１つは、ヒドロキシ基を表す。）
【請求項２】
前記ナフトキノン誘導体は、２−ヒドロキシ−１，４−ナフトキノン、又は２，５−ジヒドロキシ−１，４−ナフトキノンである、請求項１に記載のインクジェット記録装置用インク。
【請求項３】
前記ナフトキノン誘導体の含有割合は、２５．０質量％以上６５．０質量％以下である、請求項１又は２に記載のインクジェット記録装置用インク。
【請求項４】
水性インクである、請求項１〜３の何れか一項に記載のインクジェット記録装置用インク。
【請求項５】
酸成分を更に含有する、請求項１〜４の何れか一項に記載のインクジェット記録装置用インク。
【請求項６】
前記粘度調整剤は、セルロース誘導体である、請求項１〜５の何れか一項に記載のインクジェット記録装置用インク。
【請求項７】
界面活性剤と、保湿剤とを更に含有し、
前記界面活性剤は、スルホン酸塩化合物であり、
前記界面活性剤の含有割合は、０．１質量％５．０質量％以下であり、
前記保湿剤は、糖化合物であり、
前記保湿剤の含有割合は、０．０１質量％以上１．０質量％以下である、請求項１〜６の何れか一項に記載のインクジェット記録装置用インク。
【請求項８】
皮膚に画像を形成する方法であって、
インクジェット記録装置を用い、基材上に転写用画像を形成する転写用画像形成工程と、
前記転写用画像を前記皮膚に転写する転写工程とを備え、
前記転写用画像形成工程において、請求項１〜７の何れか一項に記載のインクジェット記録装置用インクを用いて前記転写用画像を形成する、画像形成方法。
【発明の詳細な説明】
【技術分野】
【０００１】
本発明は、インクジェット記録装置用インク及び画像形成方法に関する。
【背景技術】
【０００２】
１，４−ナフトキノン構造を有するナフトキノン誘導体は、皮膚を収斂させる性質と、タンパク質に絡み付く性質とを有する染料であるため、一時的な皮膚染色に用いることができる。そのため、ナフトキノン誘導体を含有するインクは、例えば、皮膚に内在するカロテノイドを日光から保護するための皮膚用薬品に用いられている（例えば、特許文献１）。また、ナフトキノン誘導体（特に、２−ヒドロキシ−１，４−ナフトキノン）を含有するインクは、水洗等では除去されない耐久性に優れる画像を皮膚に形成できるため、皮膚への一時的な装飾のために古来より用いられている（例えば、ヘナタトゥー）。
【先行技術文献】
【特許文献】
【０００３】
【特許文献１】特開２００５−２１１２号公報
【発明の概要】
【発明が解決しようとする課題】
【０００４】
しかし、ナフトキノン誘導体を含有するインクを用いた皮膚への画像形成は、一般的には手作業で行われるため、画質が作業者の技量に左右され易く、かつ長時間の作業時間を要する傾向にある。そのため、従来のナフトキノン誘導体を含有するインクでは、画質及び耐久性に優れる画像を効率的に皮膚に形成することは困難であった。
【０００５】
本発明は、上述の課題に鑑みてなされたものであり、その目的は、画質及び耐久性に優れる画像を効率的に皮膚に形成できるインクジェット記録装置用インクを提供することである。
【課題を解決するための手段】
【０００６】
本発明に係るインクジェット記録装置用インクは、下記化学式（Ｉ）で表されるナフトキノン誘導体と、粘度調整剤とを含有する。前記ナフトキノン誘導体の含有割合は、８．０質量％以上６５．０質量％以下である。前記粘度調整剤の含有割合は、０．５質量％以上７．０質量％以下である。
【０００７】
【化１】
2020083912.tif 000002
【０００８】
前記一般式（Ｉ）中、Ｒ1〜Ｒ6は、各々独立に、水素原子、ヒドロキシ基、又は炭素原子数１以上１０以下の１価の炭化水素基を表す。Ｒ1〜Ｒ6のうち少なくとも１つは、ヒドロキシ基を表す。
【０００９】
本発明に係る画像形成方法は、皮膚に画像を形成する方法であって、インクジェット記録装置を用い、基材上に転写用画像を形成する転写用画像形成工程と、前記転写用画像を前記皮膚に転写する転写工程とを備え、前記転写用画像形成工程において、上述のインクジェット記録装置用インクを用いて前記転写用画像を形成する。
【発明の効果】
【００１０】
本発明に係るインクジェット記録装置用インク及び画像形成方法は、画質及び耐久性に優れる画像を効率的に皮膚に形成できる。
【発明を実施するための形態】
【００１１】
以下、本発明の実施形態について詳細に説明する。しかし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。以下に記載する各成分は、特に断りのない限り、１種単独で用いてもよく、２種以上を組み合わせて用いてもよい。
【００１２】
本発明の実施形態において、化合物名の後に「系」を付けて、化合物及びその誘導体を包括的に総称する場合がある。このうち、化合物名の後に「系」を付けて重合体名を表す場合には、重合体の繰り返し単位が化合物又はその誘導体に由来することを意味する。
【００１３】
＜第１実施形態：インクジェット記録装置用インク＞
本発明の第１実施形態に係るインクジェット記録装置用インク（以下、インクと記載することがある）は、下記化学式（Ｉ）で表されるナフトキノン誘導体（以下、ナフトキノン誘導体（Ｉ）と記載することがある）と、粘度調整剤とを含有する。ナフトキノン誘導体（Ｉ）の含有割合は、８．０質量％以上６５．０質量％以下である。粘度調整剤の含有割合は、０．５質量％以上７．０質量％以下である。第１実施形態に係るインクは、水性インクであることが好ましい。即ち、第１実施形態に係るインクは、主溶媒として水を含有することが好ましい。また、第１実施形態に係るインクは、界面活性剤、保湿剤及びｐＨ調整剤のうち少なくとも１種を含有することが好ましい。
【００１４】
【化２】
2020083912.tif 000003
【００１５】
一般式（Ｉ）中、Ｒ1〜Ｒ6は、各々独立に、水素原子、ヒドロキシ基、又は炭素原子数１以上１０以下の１価の炭化水素基を表す。Ｒ1〜Ｒ6のうち少なくとも１つは、ヒドロキシ基を表す。
【００１６】
第１実施形態に係るインクは、例えば、以下の方法により皮膚への画像形成方法に用いることができる。まず、インクジェット記録装置を用い、第１実施形態に係るインクで基材上に転写用画像を形成する。次に、転写用画像を皮膚に一定時間接触させることで転写用画像を皮膚に転写する。これにより、皮膚に画像を形成することができる。第１実施形態に係るインクを用いた画像形成では、手作業による皮膚への画像形成と比較し、効率的に皮膚に画像を形成することができ、かつ形成される画像の画質が安定している。
【００１７】
第１実施形態に係るインクにより皮膚に形成する画像は、特に限定されないが、例えば、模様、文字、図形及びソリッド画像が挙げられる。第１実施形態に係るインクは、人体の皮膚への装飾（例えば、時間経過と共に消失するタトゥー及びボディペイント）に好適である。第１実施形態に係るインクは、例えば、牛、馬、鶏、犬、猫等の様々な動物の皮膚に対する標識の付与又は装飾に用いることもできる。
【００１８】
第１実施形態に係るインクは画質及び耐久性に優れる画像を効率的に皮膚に形成できる。その理由を以下に説明する。第１実施形態に係るインクは、染料であるナフトキノン誘導体（Ｉ）を比較的多く含有するため、染料濃度が高く色褪せにくい画像（耐久性に優れる画像）を皮膚に形成できる。ここで、一般的に、ナフトキノン誘導体（Ｉ）を比較的多量に含有するインクは、高粘度で吐出性が低い傾向にある。一方、第１実施形態に係るインクは、特定量の粘度調整剤を含有し、インクジェット記録装置に適した吐出性を有する。このように、第１実施形態に係るインクは、インクジェット記録装置に好適であるため、インクジェット記録装置に用いることで高画質な画像を皮膚に効率的に形成できる。以下、各成分について説明する。
【００１９】
［ナフトキノン誘導体（Ｉ）］
ナフトキノン誘導体（Ｉ）は、化学式（Ｉ）で表される。ナフトキノン誘導体（Ｉ）の染料としての性質には、化学式（Ｉ）で表されるナフトキノン骨格が大きく寄与している。
【００２０】
化学式（Ｉ）においては、Ｒ1〜Ｒ6のうち１つ以上３つ以下がヒドロキシ基を表すことが好ましく、Ｒ1〜Ｒ6のうち１つ又は２つがヒドロキシ基を表すことがより好ましく、Ｒ1がヒドロキシ基を表すか、又はＲ1及びＲ3がヒドロキシ基を表すことが更に好ましい。
【００２１】
化学式（Ｉ）において、Ｒ1〜Ｒ6で表される炭素原子数１以上１０以下の炭化水素基としては、例えば、炭素原子数１以上１０以下の鎖状又は分岐状のアルキル基（例えば、メチル基、エチル基、ｎ−プロピル基及びイソプロピル基）、炭素原子数６以上１０以下のアリール基（例えば、フェニル基）、及び炭素原子数７以上１０以下のアラルキル基（例えば、ベンジル基）が挙げられる。
【００２２】
ナフトキノン誘導体（Ｉ）としては、２−ヒドロキシ−１，４−ナフトキノン又は２，５−ジヒドロキシ−１，４−ナフトキノンが好ましい。ナフトキノン誘導体（Ｉ）としてこれらの化合物を用いることで、画質及び耐久性により優れる画像を皮膚に形成できる。
【００２３】
ナフトキノン誘導体（Ｉ）の含有割合としては、８．０質量％以上６５．０質量％以下であり、２５．０質量％以上６５．０質量％以下が好ましく、４５．０質量％以上６５．０質量％以下が好ましい。ナフトキノン誘導体（Ｉ）の含有割合を８．０質量％以上とすることで、皮膚に形成される画像の画質及び耐久性をより向上できる。ナフトキノン誘導体（Ｉ）の含有割合を６５．０質量％以下とすることで、インクの吐出性を向上できる。
【００２４】
［粘度調整剤］
粘度調整剤は、インクの吐出性を向上させる。粘度調整剤としては、例えば、ポリエーテル化合物（例えば、ポリエチレングリコール及びポリエチレンオキサイド）、セルロース誘導体、水溶性ポリエステル樹脂、ポリ（２−エチル−オキサゾリン）、ポリビニルアルコール及びポリビニルピロリドンが挙げられる。
【００２５】
セルロース誘導体とは、セルロースの有するヒドロキシ基のうち少なくとも一部を置換基（例えば、ヒドロキシ基又はカルボキシ基で置換されていてもよい炭素原子数１以上５以下のアルキル基）で置換した化合物である。セルロース誘導体としては、ヒドロキシエチルセルロース、ヒドロキシプロピルセルロース及びカルボキシメチルセルロースが挙げられる。
【００２６】
粘度調整剤としては、セルロース誘導体が好ましく、ヒドロキシプロピルセルロース及びカルボキシメチルセルロースがより好ましい。粘度調整剤としてセルロース誘導体を用いることで、インクの吐出性をより向上できる。
【００２７】
インクにおける粘度調整剤の含有割合としては、インクの吐出性をより向上させる観点から、０．５質量％以上７．０質量％以下であり、０．５質量％以上４．０質量％以下が好ましく、０．５質量％以上２．０質量％以下が更に好ましい。
【００２８】
［界面活性剤］
界面活性剤は、インクの吐出性を向上させる。界面活性剤としては、カチオン界面活性剤、アニオン界面活性剤、ノニオン界面活性剤、及び両性界面活性剤が挙げられる。
【００２９】
カチオン系界面活性剤としては、例えば、ドデシルアンモニウムクロライド、ドデシルアンモニウムブロマイド、ドデシルトリメチルアンモニウムブロマイド、ドデシルピリジニウムクロライド、ドデシルピリジニウムブロマイド、及びヘキサデシルトリメチルアンモニウムブロマイドがあげられる。アニオン界面活性剤としては、例えば、ステアリン酸ナトリウム、及びドデカン酸ナトリウム等の脂肪酸石けん、並びにドデシル硫酸ナトリウム（ラウリル硫酸ナトリウム）、及びドデシルベンゼンスルホン酸ナトリウム等のスルホン酸塩化合物があげられる。ノニオン界面活性剤としては、例えば、ポリオキシエチレンドデシルエーテル、ポリオキシエチレンヘキサデシルエーテル、ポリオキシエチレンノニルフェニルエーテル、ポリオキシエチレンソルビタンモノオレエートエーテル、モノデカノイルショ糖、及びアセチレンジオールのエチレンオキシド付加物があげられる。
【００３０】
界面活性剤としては、インクの吐出性をより向上させる観点から、アニオン界面活性剤が好ましく、スルホン酸塩化合物がより好ましく、ドデシル硫酸ナトリウムが更に好ましい。
【００３１】
インクが界面活性剤を含有する場合、界面活性剤の含有割合としては、インクの吐出性をより向上させる観点から、０．１質量％５．０質量％以下が好ましく、０．５質量％以上２．０質量％以下がより好ましい。
【００３２】
［保湿剤］
保湿剤は、インクの乾燥を抑制し、これによりインクジェット記録装置の記録ヘッドの目詰まりを抑制する。保湿剤としては、グリセロール化合物、グリコール化合物及び糖化合物が挙げられる。
【００３３】
グリセロール化合物としては、例えば、グリセリン、ジグリセリン、トリグリセリン、トリメチロールエタン、トリメチロールプロパン、炭素原子数１以上１０以下のアルキルグリセリルエーテル、炭素原子数１以上１０以下のアルキルジグリセリルエーテル、及び炭素原子数１以上１０以下のアルキルトリグリセリルエーテルが挙げられる。
【００３４】
グリコール化合物としては、例えば、エチレングリコール、ジエチレングリコール、トリエチレングリコール、テトラエチレングリコール、ペンタエチレングリコール、プロピレングリコール、ジプロピレングリコール、トリプロピレングリコール、ブチレングリコール、１，２−ペンタンジオール、１，２−ヘキサンジオール、１，２−ヘプタンジオール、１，２−オクタンジオール、１，２，６−ヘキサントリオール、チオグリコール、及びヘキシレングリコールが挙げられる。
【００３５】
糖化合物としては、例えば、単糖、二糖、三糖、多糖及び糖アルコールが挙げられる。単糖としては、例えば、ブドウ糖、フルクトース及びガラクトースが挙げられる。二糖としては、例えば、マルトース、スクロース、セロビオース、ラクトース、トレハロース、イルマルトース及びゲンチオビースが挙げられる。三糖としては、例えば、ゲンチアノース、ラフィノース及びパノースが挙げられる。
【００３６】
保湿剤としては、糖化合物が好ましく、グルコースがより好ましい。保湿剤として糖化合物を用いることで、皮膚への刺激を抑制しつつ、インクの乾燥をより効果的に抑制できる。
【００３７】
インクが糖化合物を含有する場合、糖化合物の含有割合としては、インクの乾燥をより効果的に抑制する観点から、０．０１質量％以上１．０質量％以下が好ましく、０．０５質量％以上０．３質量％以下がより好ましい。
【００３８】
［水］
インクが水を含有する場合、水の含有割合としては、３０．０質量％以上９０．０質量％以下が好ましく、５０．０質量％以上８０．０質量％以下がより好ましい。水の含有割合を３０．０質量％以上とすることで、インクの吐出性をより向上できる。水の含有割合を９０．０質量％以下とすることで、他の成分（例えば、ナフトキノン誘導体（Ｉ）及び粘度調整剤）を十分に添加できる。
【００３９】
インクにおける溶媒としては、水が好ましいが、例えば、水及び水溶性有機溶媒を含有する混合溶媒であってもよく、他の有機溶媒であってもよい。溶媒における水の含有割合としては、７０．０質量％以上が好ましく、９０．０質量％以上がより好ましく、１００．０質量％が更に好ましい。
【００４０】
［ｐＨ調整剤］
ｐＨ調整剤は、ナフトキノン誘導体（Ｉ）の染色性を向上させる。ｐＨ調整剤としては、酸成分、塩基成分及び緩衝剤が挙げられ、酸成分が好ましい。酸成分としては、無機酸（例えば、硫酸、塩酸及び硝酸等）と、有機酸（例えば、アジピン酸、クエン酸、コハク酸及び乳酸等のカルボン酸）とが挙げられる。酸成分としては、カルボン酸が好ましく、クエン酸がより好ましい。ｐＨ調整剤としてカルボン酸を用いることで、皮膚への刺激を抑制しつつ、ナフトキノン誘導体（Ｉ）の染色性をより向上できる。
【００４１】
インクがｐＨ調整剤を含有する場合、ｐＨ調整剤の含有割合としては、ナフトキノン誘導体（Ｉ）の染色性をより向上させる観点から、０．１質量％以上５．０質量％以下が好ましく、０．５質量％以上２．０質量％以下がより好ましい。
【００４２】
［その他の添加剤］
インクは、上述した成分以外に、その他の添加剤を更に含有してもよい。その他の添加剤としては、例えば、防黴剤、防腐剤、酸化防止剤、紫外線吸収剤、キレート剤、及び酸素吸収剤が挙げられる。防黴剤としては、例えば、安息香酸ナトリウムが挙げられる。なお、安息香酸ナトリウムは、防腐剤としての機能も有する。酸化防止剤としては、例えば、アロハネート化合物が挙げられる。
【００４３】
［インクの調製方法］
インクの調製方法としては、特に限定されないが、例えば、ナフトキノン化合物（Ｉ）と、粘度調整剤と、他の任意成分とを混合する方法が挙げられる。インクの調製方法では、混合後の溶液をろ過（例えば、目開き１μｍのメンブレンフィルターによるろ過）することが好ましい。なお、インクの製造において水を用いる場合、使用する水としてはイオン交換水又は純水が好ましい。
【００４４】
＜第２実施形態：画像形成方法＞
本発明の第２実施形態に係る画像形成方法は、皮膚に画像を形成する方法であって、インクジェット記録装置を用い、基材上に転写用画像を形成する転写用画像形成工程と、転写用画像を皮膚に転写する転写工程とを備え、転写用画像形成工程において、第１実施形態に係るインクを用いて転写用画像を形成する。
【００４５】
［転写用画像形成工程］
本工程では、インクジェット記録装置を用い、基材上に転写用画像を形成する。本工程で形成する転写用画像は、インクの液膜（溶媒が残留した状態）である。また、本工程で形成する転写用画像は、皮膚に形成する画像を左右反転させた画像である。
【００４６】
インクジェット記録装置としては、特に限定されず、市販のインクジェットプリンターを用いることができる。基材としては、吸水性の低い材料であれば特に限定されないが、例えば、プラスチック製シート等を用いることができる。なお、本工程に市販のインクジェットプリンターを用いる場合、用紙搬送用ローラー等の部材に転写用画像が付着しないように適宜改造することが好ましい。
【００４７】
［転写工程］
本工程では、転写用画像を皮膚に転写する。転写用画像を皮膚に転写する方法としては、例えば、皮膚に転写用画像を一定時間接触させる方法が挙げられる。具体的な方法としては、例えば、転写用画像側の面が皮膚と接触するように、転写用画像が形成された基材を皮膚に一定時間固定する方法が挙げられる。固定時間としては、例えば、１０分以上３時間以下とすることができる。本工程により、転写用画像を構成するインクが皮膚に吸収される。その結果、インクが含有するナフトキノン誘導体（Ｉ）によって皮膚に含まれるタンパク質が染色され、皮膚に画像が形成される。
【実施例】
【００４８】
以下、実施例を用いて本発明を更に具体的に説明する。しかし、本発明は実施例の範囲に何ら限定されない。
【００４９】
［実施例１］
染料としての２−ヒドロキシ−１，４−ナフトキノン（東京化成工業株式会社製）１０．０質量部と、粘度調整剤としてのヒドロキシプロピルセルロース（富士フイルム和光純薬株式会社製）１．０質量部と、界面活性剤としてのラウリル硫酸ナトリウム（ナカライテスク株式会社製）１．０質量部と、ｐＨ調整剤としてのクエン酸（林純薬工業株式会社製）１．０質量部と、保湿剤としてのブドウ糖（林純薬工業株式会社製）０．１質量部と、溶媒としての水８６．９質量部とを混合した後、目開き１μｍのメンブレンフィルターに通した。これにより、実施例１のインクを調製した。
【００５０】
［実施例２〜８及び比較例１〜４］
染料の種類及び添加量と、粘度調整剤の種類及び含有量と、界面活性剤、保湿剤、ｐＨ調整剤及び水の添加量とを下記表１に示す通りに変更した以外は、実施例１のインクの調製と同様の方法により、実施例２〜８及び比較例１〜４のインクを調製した。下記表１において、染料の「２−ヒドロキシ体」及び「２，５−ジヒドロキシ体」は、それぞれ２−ヒドロキシー１，４−ナフトキノン、及び２，５−ジヒドロキシ−１，４−ナフトキノンを示す。粘度調整剤の「ＨＰＣ」及び「ＣＭＣ」は、それぞれヒドロキシプロピルセルロース及びカルボキシメチルセルロースを示す。
【００５１】
なお、実施例４及び５のインクに用いたカルボキシメチルセルロースは、ダイセルファインケム株式会社製であった。実施例８のインクに用いた２，５−ジヒドロキシ−１，４−ナフトキノンは、ＢＥＰＨＡＲＭ社製であった。
【００５２】
実施例１〜８及び比較例１〜４のインクを用い、以下の方法により画像の耐久性及び描画性を評価した。評価結果を下記表１に示す。但し、比較例１及び３では、インクを正常に吐出できなかったため、画像の耐久性及び描画性は評価できなかった。そのため、下記表１では、比較例１及び３における画像の耐久性及び描画性を何れも「−」と示した。
【００５３】
（画像の耐久性）
評価機として、ピエゾ方式のプリンター（セイコーエプソン株式会社製「ＰＸ−０４５Ａ」）の改造機を用いた。評価機には、改造として、用紙搬送用のローラー等の部材が描画面に接触しないようにする調整を行った。評価対象のインク（実施例１〜８及び比較例１〜４のインクの何れか１つ）をピエゾ方式のインクジェットプリンター用インクカートリッジに充填し、評価機にセットした。この評価機を用い、プラスチック製シートに所定の模様を有する転写用画像を形成した。
【００５４】
転写用画像を形成したプラスチック製シートを人体の皮膚に固定することで転写用画像を皮膚に接触させ、この状態で１時間静置した。静置後、プラスチック製シートを除去し、その後、皮膚に残留したインクを洗い流した。その後、皮膚を目視で観察し、転写用画像が有していた模様が反転して皮膚に転写されていることを確認した。１週間後、同部位を目視で観察し、転写直後の模様の面積Ａに対する退色で消失した模様の面積Ｂの割合（１００×Ｂ／Ａ）を求めた。この割合を消失割合（％）とした。
【００５５】
実施例１では、消失割合が約５％であった。実施例２〜８及び比較例４では、消失割合が０％であった。比較例２では、消失割合は８０％だった。画像の耐久性は、以下の基準により「Ａ（特に良好）」、「Ｂ（良好）」及び「Ｃ（不良）」と評価した。
Ａ：消失割合が０％
Ｂ：消失割合が０％超１０％以下
Ｃ：消失割合が１０％超
【００５６】
（描画性）
評価機を用い、印刷用紙に幅８０μｍの細線を形成した。形成した細線を顕微鏡により観察し、欠損の有無と評価用紙の汚れとを観察した。インクの描画性は、以下の基準により「Ａ（特に良好）」、「Ｂ（良好）」及び「Ｃ（不良）」と評価した。
Ａ：細線に欠損が生じておらず、かつ評価用紙の汚れも生じていなかった。
Ｂ：細線の一部に欠損が生じていたが、評価用紙の汚れは生じていなかった。
Ｃ：細線の一部に欠損が生じ、かつ評価用紙に汚れが生じていた。
【００５７】
なお、比較例４のインクは、形成した細線の一部に欠損が生じると共に、評価機の記録ヘッドからインク滴が滴下して評価用紙に汚れが生じていたため、描画性が不良と評価した。
【００５８】
（吐出性）
吐出性は、上述の耐久性及び描画性の評価において画像を形成する際に、インクの全量を正常に吐出できた場合を「Ａ（特に良好）」、インクの大半を正常に吐出できた場合を「Ｂ（やや良好）」、インクの大半又は全量が正常に吐出されなかった場合を「Ｃ（不良）」と評価した。
【００５９】
なお、実施例７のインクは、吐出されたインクの大部分は正常に吐出されたが、吐出されたインクの一部が評価機の記録ヘッドに付着したため、吐出性がやや良好と評価した。また、比較例４のインクは、吐出されたインクの大部分は正常に吐出されたが、上述の通り、評価機の記録ヘッドからインクが滴下したため、吐出性がやや良好と評価した。
【００６０】
【表１】
2020083912.tif 000004
【００６１】
実施例１〜８のインクは、ナフトキノン誘導体（Ｉ）と、粘度調整剤とを含有していた。ナフトキノン誘導体（Ｉ）の含有割合は、８．０質量％以上６５．０質量％以下であった。粘度調整剤の含有割合は、０．５質量％以上７．０質量％以下であった。その結果、表１に示すように、実施例１〜８のインクは、耐久性に優れる画像を皮膚に形成できた。また、実施例１〜８のインクは、描画性及び吐出性に優れ、インクジェット記録装置のインクとして好適であった。そのため、実施例１〜８のインクは、インクジェット記録装置に用いることで、画質に優れる画像を皮膚に効率的に形成することができた。
【００６２】
一方、比較例１〜４のインクは、上述の構成を満たしておらず、その結果、形成される画像の耐久性、描画性及び吐出性の少なくとも１つが不良であった。
【産業上の利用可能性】
【００６３】
本発明に係るインク及び画像形成方法は、例えば装飾目的での人体の皮膚への画像形成に利用することがきる。